(57)【要約】ビデオプロセッサ（１３）の駆動信号の赤、緑及び青出力バイアスから直接に陰極帰還電流をシミュレートするために、陰極線管（ＣＲＴ）帰還電流置換回路（２０）を含む表示システム（１０）。更に表示システム（１０）は、バイアスが供給される場合に、垂直のアンダースキャンされる状態の間にこれらバイアスが可視となることを防ぐように、垂直帰線消去を駆動段（１６）に適用する。前記消去の適用の前に前記陰極帰還電流の生成をシフトすることは、ビデオプロセッサ（１３）のＡＫＢ感知回路（１９）によって感知される陰極帰還電流のいずれの著しい歪み、変形又はずれを防ぐ。
2005504472.tif 000002
【特許請求の範囲】
【請求項１】
それぞれが赤、緑及び青の出力バイアスを持つ赤、緑及び青の駆動信号を生成し、前記赤、緑及び青の出力バイアスはそれぞれ前記駆動信号のそれぞれの黒レベルに対応するビデオプロセッサと、
赤、緑及び青陰極を持つ陰極線管と、
前記赤、緑及び青陰極を駆動するための、前記赤、緑及び青の出力バイアスを受信するために結合された駆動段と、
前記それぞれの黒レベルに対応する陰極帰還置換電流を生成し、前記ビデオプロセッサに前記陰極置換帰還電流を供給するために前記駆動段に結合された、前記赤、緑及び青の出力バイアスを受信する陰極線管帰還電流置換回路と、
前記陰極帰還置換電流が生成された場合に、前記駆動段の出力を消去するために垂直帰線消去信号を選択的に生成するために前記駆動段に結合された消去回路と、
を有する表示システム。
【請求項２】
前記ビデオプロセッサは自動キネスコープ・バイアス感知回路を含み、前記陰極帰還置換電流は前記自動キネスコープ・バイアス感知回路によって感知される、請求項１に記載のシステム。
【請求項３】
前記駆動段からの陰極帰還電流と、前記陰極線管帰還電流置換回路からの陰極帰還置換電流との間を選択的に切り換え、垂直にアンダースキャンされる状況の間前記陰極帰還電流が可視となることを防ぐ切り換え回路を更に有する、請求項１に記載のシステム。
【請求項４】
前記陰極線管帰還電流置換回路は、
第１のトランジスタ及び第２のトランジスタを持つ電流ミラーと、
前記赤出力バイアスを受信するベース、前記電流ミラーの第１のトランジスタのコレクタに結合されたコレクタ、及び第１の抵抗器に結合されたエミッタを持つ、赤出力バイアス・トランジスタと、
前記緑出力バイアスを受信するベース、前記電流ミラーの第１のトランジスタのコレクタに結合されたコレクタ、及び第２の抵抗器に結合されたエミッタを持つ、緑出力バイアス・トランジスタと、
前記青出力バイアスを受信するベース、前記電流ミラーの第１のトランジスタのコレクタに結合されたコレクタ、及び第３の抵抗器に結合されたエミッタを持つ、青出力バイアス・トランジスタと、
バイアス電圧に結合されたベース、第４の抵抗器に結合されたエミッタ、及び前記第２のトランジスタのコレクタに結合されたコレクタを持つ、電流低下トランジスタと、
を含み、前記電流低下トランジスタのコレクタ電流及び前記第２のトランジスタのコレクタ電流の正味の電流は前記陰極帰還置換電流を提供する、請求項１に記載のシステム。
【請求項５】
前記駆動段からの陰極帰還電流と、前記陰極線管帰還電流置換回路からの陰極帰還置換電流との間を選択的に切り換え、垂直にアンダースキャンされる状況の間前記赤、緑及び青の出力バイアスが可視となることを防ぐ切り換え回路を更に有する、請求項４に記載のシステム。
【請求項６】
前記切り換え回路は、
前記陰極線管の出力の駆動段からの前記陰極帰還電流と切り換え電流とを受信する交互にバイアスされるトランジスタを持ち、前記ビデオプロセッサに前記陰極帰還電流を選択的に伝送する第１のトランジスタの対と、
交互にバイアスされるトランジスタを持ち、前記第２のトランジスタのコレクタと前記電流低下トランジスタのコレクタとの間に配置され、前記切り換え信号を受信する第２のトランジスタの対と、
前記切り換え信号を受信し、前記電流低下トランジスタを選択的にオフにするように構成される切り換えトランジスタと、
を含む、請求項５に記載のシステム。
【請求項７】
陰極線管ディスプレイ上の駆動信号の赤、緑及び青出力バイアスを消去する方法であって、
ビデオプロセッサによって、赤出力バイアス、緑出力バイアス及び青出力バイアスを生成するステップと、
前記ビデオプロセッサへの陰極帰還電流を、前記赤、緑及び青出力バイアスから陰極線管帰還電流置換回路を介して取得可能な陰極帰還置換電流によって置換するステップと、
前記陰極帰還置換電流が存在する期間の間垂直帰線消去信号を生成するステップと、
前記垂直帰線消去信号を用いて前記陰極線管ディスプレイを駆動する駆動段の出力を消去するステップと、
を有する方法。
【発明の詳細な説明】
【技術分野】
【０００１】
本発明は、陰極線管（ＣＲＴ）又は同様の表示システムに関し、より詳細には、帰還ループを適用する自動キネスコープ・バイアス（ＡＫＢ）とも呼ばれる自動ＣＲＴ黒レベル安定化を持つ表示システムに関する。本発明は、駆動信号の赤、緑及び青出力バイアスの消去の方法にも関する。
【背景技術】
【０００２】
自動陰極線管（ＣＲＴ）黒レベル安定化は、従来、垂直帰線消去期間（vertical blanking interval）の間に、ビデオの黒レベルの近くの駆動信号中にバイアス電圧を挿入することにより実現される。帰還システムにおいては、前記駆動信号の相対ＤＣバイアスが、前記ビデオの黒レベルの近くの、等しいＣＲＴ赤、緑及び青（ＲＧＢ）陰極電流を実現するように調節される。
【発明の開示】
【発明が解決しようとする課題】
【０００３】
通常、これらのバイアス電圧は、ディスプレイの上部のオーバースキャンされる見えない部分にある。しかしながら、１６：９のアスペクト比の画像が４：３のディスプレイに表示される場合のような、垂直の歪みがアンダースキャンされる表示モードにおいては、これらのバイアス電圧は可視となり気を散らすようなものになる。
【０００４】
本発明は前記バイアス電圧が可視となることを防ぐ表示システムを意図する。
【課題を解決するための手段】
【０００５】
本発明は、独立請求項によって規定される。従属請求項は有利な実施例を規定する。
【０００６】
本発明の第１の態様によれば、最初の段落において定義された表示システムであって、
それぞれが赤、緑及び青の出力バイアスを持つ赤、緑及び青の駆動信号を生成し、前記赤、緑及び青の出力バイアスはそれぞれ前記駆動信号のそれぞれの黒レベルに対応するビデオプロセッサと、
赤、緑及び青陰極を持つ陰極線管と、
前記赤、緑及び青陰極を駆動するための、前記赤、緑及び青の出力バイアスを受信するために結合された駆動段と、
前記それぞれの黒レベルに対応する陰極帰還置換電流を生成し、前記ビデオプロセッサに前記陰極置換帰還電流を供給するために前記駆動段に結合された、前記赤、緑及び青の出力バイアスを受信する陰極線管帰還電流置換回路と、
前記陰極帰還置換電流が生成された場合に、前記駆動段の出力を消去するために垂直帰線消去信号を選択的に生成するために前記駆動段に結合された消去回路と、
を有する表示システムが提供される。
【０００７】
本システムは、ビデオプロセッサの駆動信号から直接に帰還を生成するために、シミュレーション回路とも呼ばれる置換回路を利用する。このようにして、陰極線管の黒レベルを安定化させる帰還ループは、前記駆動段からの帰還を必要とすることなく動作するままである。
【０００８】
従って、前記駆動段の入力部における出力バイアスの存在にもかかわらず、ＣＲＴが完全にカットオフされることを保証するため、垂直帰線消去が前記駆動段に適用されることができる。従って例えば、垂直のアンダースキャンの場合、前記出力バイアスの可視性は回避される。前記出力バイアスが存在する間に前記垂直帰線消去と共同して帰還電流置換回路を利用するというこの特徴は、前記表示システムが動作中に恒久的にアクティブである必要はない。前記表示システムが垂直のアンダースキャンに帰着する動作モードである場合にのみ、前記特徴をアクティブにすることが有用である。
【０００９】
従って本発明は、選択的にＡＫＢを置換する、又は換言すれば、垂直のアンダースキャン状態の間のような場合にＡＫＢを利用せず代替の陰極帰還電流を代わりに利用する手段を持つ表示システムを意図している。
【発明を実施するための最良の形態】
【００１０】
本発明のこれらの及び他の態様は、図を参照しながら明らかとなり説明されるであろう。
【００１１】
ここで図１を参照すると、自動キネスコープ・バイアス（ＡＫＢ）を備えた従来の表示システム１の模式的な図が示されている。表示システム１は、参照パルス間隔の間電流帰還入力端子５へ送られる、線２上の電流帰還を監視し、等しい陰極電流を維持するために赤出力バイアス４Ｒ、緑出力バイアス４Ｇ及び青出力バイアス４Ｂを調節する、ビデオプロセッサ集積回路（ＩＣ）３を含む。集積回路３は供給電圧Ｖｃｃを受信する。表示システム１は更に、演算増幅器である複数のＣＲＴ駆動増幅器６ａ、６ｂ及び６ｃを持つＣＲＴ駆動段６を含む。ＣＲＴ駆動増幅器６ａ、６ｂ及び６ｃのそれぞれは、線８１、８２、及び８３上に３つの出力を持つ。各ＣＲＴ駆動増幅器６ａ、６ｂ及び６ｃの８１上の出力は、それぞれ赤、緑及び青のＣＲＴの陰極ＲＣ、ＧＣ及びＢＣを駆動し、電流を低下させる。各ＣＲＴ駆動増幅器６ａ、６ｂ及び６ｃの線８２上の出力は、線２上のビデオプロセッサ集積回路（ＩＣ）３のＡＫＢ感知回路９に陰極帰還電流を供給する。各ＣＲＴ駆動増幅器６ａ、６ｂ及び６ｃの線８３上の出力は、帰還抵抗器Ｒ７、Ｒ８及びＲ９のそれぞれ１つの第１の端子に結合される。
【００１２】
ＣＲＴ駆動増幅器６ａ、６ｂ及び６ｃはそれぞれ抵抗器即ちインピーダンスＲ４、Ｒ５及びＲ６を持ち、各抵抗器はそれぞれＣＲＴ駆動増幅器６ａ、６ｂ及び６ｃの第１の入力端子に結合されている。更に、帰還抵抗器Ｒ７、Ｒ８及びＲ９の第２の端子は、それぞれＣＲＴ駆動増幅器６ａ、６ｂ及び６ｃの第１の入力端子に結合されている。更に、ＣＲＴ駆動増幅器６ａ、６ｂ及び６ｃのそれぞれは、前記参照パルス間隔の間参照パルスを持つ垂直帰線消去信号を線７において受信する第２の入力端子を持つ。
【００１３】
ここで図２を参照すると、本発明の表示システムは全体で数字１０によって参照される。表示システム１０は一般に、（１）バイアス電圧が可視になることを防ぐために消去（垂直帰線消去信号）を供給することによって、及び（２）駆動段１６の出力からの従来の陰極帰還電流を駆動段１６の前に配置されたＣＲＴ帰還電流置換回路２０からの陰極帰還置換電流と置換することによって、垂直の歪みがアンダースキャンされる場合に、駆動信号中の可視のバイアス電圧を除去する。前記置換電流は、従来の陰極帰還電流をシミュレートし、従って該置換電流はシミュレートされた陰極帰還電流とも呼ばれる。ＣＲＴ帰還電流置換回路２０は、駆動段１６の前の位置から帰還を供給し、それにより、線１７において、参照パルスなしに垂直帰線消去信号が前記陰極帰還電流の著しい歪み、変形又はずれなく供給されることができる。該垂直帰線消去信号は消去回路１７１によって供給され、例えば垂直のアンダースキャンの場合にのみ、といったように選択的に供給されることができる。前記消去回路は個別の回路でも良いし、他の回路の一部であっても良い。本実施例においては、前記陰極帰還置換は、ビデオプロセッサ集積回路（ＩＣ）１３によって供給される赤駆動信号１４Ｒ、緑駆動信号１４Ｇ及び青駆動信号１４Ｂのそれぞれの出力バイアスから直接にシミュレートされる。
【００１４】
ＣＲＴ帰還電流置換回路２０は、電流ミラー２２と、赤駆動信号１４Ｒに結合されたベースを持つ赤トランジスタＱ１と、緑駆動信号１４Ｇに結合されたベースを持つ緑トランジスタＱ２と、青駆動信号１４Ｂに結合されたベースを持つ青トランジスタＱ３とを含む。電流ミラー２２は、相互に結合され且つトランジスタＱ４のコレクタに結合されたベースを持つトランジスタＱ４及びＱ５を含む。トランジスタＱ４及びＱ５のエミッタは、ＩＣ１３の供給電圧Ｖｃｃに結合される。赤トランジスタＱ１、緑トランジスタＱ２及び青トランジスタＱ３のコレクタは、全てトランジスタＱ４のコレクタ及びベースに結合される。赤トランジスタＱ１、緑トランジスタＱ２及び青トランジスタＱ３のエミッタは、それぞれのエミッタ抵抗器即ちインピーダンスＲ１、Ｒ２及びＲ３を介して接地される。
【００１５】
ＣＲＴ帰還電流置換回路２０は更に、ノードＡにおいて電流ミラー２２のトランジスタＱ５のコレクタに結ばれたコレクタを持つ電流低下トランジスタＱ１０を含む。ノードＡにおいて、正味の電流は、ビデオプロセッサ集積回路（ＩＣ）１３の電流帰還入力端子へと伝達される。トランジスタＱ１０のベースは接地され、エミッタは電圧−Ｖｅｅに結ばれた抵抗器即ちインピーダンスＲ１２を持つ。理解できるように、トランジスタＱ５及びＱ１０のコレクタ電流Ｉ５及びＩ１０は、ＣＲＴ帰還電流置換回路２０の陰極帰還置換電流を規定するノードＡへの正味の電流を供給する。前記陰極帰還置換電流は、ノードＡから、ビデオプロセッサ集積回路（ＩＣ）１３の電流帰還入力端子１５へと伝達され、ＡＫＢ感知回路１９によって感知される。ＡＫＢはＣＲＴカットオフ安定化及び黒レベル安定化としても知られることは留意されたい。
【００１６】
動作中は、垂直な再トレースの間に順次の参照レベルによって生成され、電流ミラー２２のトランジスタＱ４及びＱ５を介して反射されたトランジスタＱ１、Ｑ２及びＱ３のコレクタ電流はそれぞれ、電流低下トランジスタＱ１０によって低下された電流よりもわずかに大きい。トランジスタＱ１０を流れる電流を低下させることにより、トランジスタＱ１、Ｑ２及びＱ３は、それぞれのコレクタ電流における比較的小さな変化を伴い常にアクティブなままであり、特に該トランジスタのベース−エミッタ電流について安定した特性を提供する。換言すれば、電流ミラー２２のトランジスタＱ５からの出力電流は、トランジスタＱ１０によって低下される。トランジスタＱ５及びＱ１０からのコレクタ電流は、ミリアンペアの領域である。しかしながら、電流帰還入力端子１５への電流は、マイクロアンペアの領域である。かくして、電流Ｉ５が電流Ｉ１０よりわずかに大きい場合、ループは安定し、トランジスタＱ１乃至Ｑ３のベース−エミッタ結合における変化を最小化する傾向がある。
【００１７】
実施例においては、ＣＲＴ「カットオフ」電圧は例えば＋１８０．０ボルトである（ＣＲＴの第１のグリッドが接地されている場合）。しかしながら、良く知られているように、約＋１７９．９Ｖの電圧において、幾分かの電流が引き出され、ＣＲＴ照明を引き起こす。前記参照パルスのない垂直帰線消去電流は、前記バイアス電圧がディスプレイ３５において可視となることを、特に前記垂直の歪みがアンダースキャンされる表示モードにおいて防ぐために、線１７上のＣＲＴ駆動増幅器１６ａ、１６ｂ及び１６ｃに供給される。
【００１８】
更に図２の表示システム１０の模式図を参照すると、各ＣＲＴ駆動増幅器１６ａ、１６ｂ及び１６ｃの線１８１上の出力は、それぞれ赤、緑及び青のＣＲＴの陰極ＲＣ、ＧＣ及びＢＣを駆動し、ディスプレイ３５の電流を低下させる。各ＣＲＴ駆動増幅器１６ａ、１６ｂ及び１６ｃの線１８２上のＡＫＢ出力は、図２に示すように、帰還電流置換回路２０が帰還を提供する必要がある場合（例えば垂直のアンダースキャンの動作モードにおいて）には接地されることができる。他の動作モードにおいてＡＫＢ出力が利用されるべきである場合、（図３中の代替実施例において示されるように）該出力は電流帰還入力端子１５に結合されることができる。各ＣＲＴ駆動増幅器１６ａ、１６ｂ及び１６ｃの１８３上の出力は、帰還抵抗器Ｒ７、Ｒ８及びＲ９のそれぞれ１つを駆動する。
【００１９】
ここで図３を参照すると、本発明による表示システムの模式図の代替例が示されている。表示システム１００は、選択的に、ビデオプロセッサ集積回路（ＩＣ）１３０の電流帰還入力端子１１５に、駆動段１１６から陰極帰還電流を送るか、又はＣＲＴ帰還電流置換回路１２０から陰極帰還置換電流を送る、選択的切り換え回路１４０を含む。ＣＲＴ帰還電流置換回路１２０は本質的に図２のＣＲＴ帰還電流置換回路２０と同一であるから、選択的切り換え回路１４０に関するもの以外はここでは更なる説明は提供されない。
【００２０】
ここで選択的切り換え回路１４０を参照すると、ＡＫＢ「オン」又は「オフ」信号が、抵抗器Ｒ２３を通して、トランジスタＱ１２のベースへと、線１４２上を伝送される。ここでＡＫＢ「オン」信号は略５Ｖに等しく、ＡＫＢ「オフ」信号は略０Ｖに等しい。線１４２上のＡＫＢ「オン」又は「オフ」信号は、抵抗器Ｒ１４を介して、トランジスタＱ１１のベースへ伝送される。線１４２上のＡＫＢ「オン」又は「オフ」信号は、線１４４上のトランジスタＱ１３のベース及び線１４６上のトランジスタＱ９のベースへも伝送される。トランジスタＱ１１のベースは、トランジスタＱ８のベースに結合される。トランジスタＱ１１及びＱ１２のエミッタはノードＢにおいて共に結ばれ、該ノードＢは線１１８２上のＣＲＴ駆動増幅器１１６ａ、１１６ｂ及び１１６ｃからの第２の出力を受信する。線１１８２上の電流は、電流帰還入力端子１１５を介して、ＡＫＢ感知回路１１９に陰極帰還電流を供給する。トランジスタＱ１２のコレクタは負の電圧−Ｖｅｅに結ばれる。
【００２１】
トランジスタＱ８及びＱ９はノードＣに結ばれたエミッタを持ち、該ノードＣは電流ミラー１２２のトランジスタＱ５のコレクタに結合される。トランジスタＱ９のコレクタはトランジスタＱ１０のコレクタ及びノードＡに結合される。トランジスタＱ８のコレクタは接地される。トランジスタＱ１１のベースはトランジスタＱ８のベースに結合され、これら双方は線１５２上でノードＤにおいて抵抗器Ｒ１０を通して供給電圧Ｖｃｃ結ばれる。トランジスタＱ１３のエミッタは、トランジスタＱ１０のエミッタ及びエミッタ抵抗器即ちインピーダンスＲ１２の第１の端子に結合される。レジスタＲ１２の他方の端子は、負の電圧−Ｖｅｅに結合される。トランジスタＱ１３のコレクタは線１５０においてＶｃｃに結合される。本実施例において、トランジスタＱ１０のベースは、抵抗器Ｒ１１を介してトランジスタＱ８のベースに結合され、一方抵抗器Ｒ１１は抵抗器Ｒ１０と抵抗器Ｒ１３と直列に且つ抵抗器Ｒ１０と抵抗器Ｒ１３との間にある。
【００２２】
動作中、ＡＫＢ「オン」信号が線１４２上に存在する場合、ＣＲＴ帰還電流置換回路１２０は選択的にディスエーブルにされ、トランジスタＱ１１のコレクタは、帰還線１４８を介して線１１８２上においてＣＲＴ駆動増幅器１１６ａ、１１６ｂ及び１１６ｃからの陰極帰還電流を、ビデオプロセッサ集積回路（ＩＣ）１３０の電流帰還入力端子１１５に伝送するように動作する。該陰極帰還電流はＡＫＢ感知回路１１９によって感知される。
【００２３】
一方、ＡＫＢ「オフ」信号が線１４２上に存在する場合、ＣＲＴ帰還電流置換回路１２０は選択的にイネーブルにされ、ノードＡにおけるトランジスタＱ９及びトランジスタＱ１０を介したトランジスタＱ５からの正味のコレクタ電流は、陰極帰還置換電流を電流帰還入力端子１１５に伝送する。
【００２４】
トランジスタの対Ｑ１１及びＱ１２並びにトランジスタの対Ｑ８及びＱ９は交互にバイアス「オン」及び「オフ」される。かくして、ＡＫＢ「オン」信号が存在する場合、トランジスタＱ１１はオン、トランジスタＱ１２はオフ、トランジスタＱ８はオン、トランジスタＱ９はオフ、及びトランジスタＱ１３はトランジスタＱ１０をオフにする。それ故、ノードＢにおける合成された陰極帰還電流のみが、線１４８を介して電流帰還入力端子１１５に伝送される。
【００２５】
しかしながら、ＡＫＢ「オフ」信号が存在する場合、トランジスタＱ１１はオフ、トランジスタＱ１２はオン、トランジスタＱ８はオフ、及びトランジスタＱ９はオンである。またトランジスタＱ１０は、トランジスタＱ１３を介してオンである。それ故、ノードＡにおける陰極帰還置換電流が、トランジスタＱ９及びトランジスタＱ１０を介したトランジスタＱ５のコレクタからの正味のコレクタ電流である。該正味のコレクタ電流は電流帰還入力端子１１５に送られる。
【００２６】
本実施例において、ＣＲＴ帰還電流置換回路１２０は、例えば、これに限定するものではないが、１６：９のアスペクト比が４：３のディスプレイに表示される場合のような、アンダースキャンされた動作のモードの間にのみ起動される必要がある。そうでなければ、前記アンダースキャンされるモード以外のモードの間は、代替の陰極帰還電流源によってＡＫＢを無効化する理由はない。それ故、外部のスイッチ（図示されていない）が、線１４２上においてＡＫＢ「オン」／「オフ」信号を供給するためにディスプレイ１３５上に備えられてもよい。
【００２７】
更に図３の実施例の模式図を参照すると、ＣＲＴ駆動増幅器１１６ａ、１１６ｂ及び１１６ｃの線１１８１上の出力は、それぞれ赤、緑及び青のＣＲＴの陰極ＲＣ、ＧＣ及びＢＣを駆動し、ディスプレイ１３５の電流を低下させる。ＣＲＴ駆動増幅器１１６ａ、１１６ｂ及び１１６ｃの線１１８３上の出力は、それぞれ帰還抵抗器Ｒ７、Ｒ８及びＲ９の１つを駆動する。ＣＲＴ駆動増幅器１１６ａ、１１６ｂ及び１１６ｃはそれぞれ、抵抗器即ちインピーダンスＲ４、Ｒ５及びＲ６を持ち、各インピーダンスＲ４、Ｒ５及びＲ６はそれぞれＣＲＴ駆動増幅器１１６ａ、１１６ｂ及び１１６ｃの第１の入力端子に結合される。更に、帰還抵抗器Ｒ７、Ｒ８及びＲ９もまた、それぞれＣＲＴ駆動増幅器１１６ａ、１１６ｂ及び１１６ｃの第１の入力端子に結合される。更に、ＣＲＴ駆動増幅器１１６ａ、１１６ｂ及び１１６ｃのそれぞれは、参照パルス間隔の間線１１７上において消去回路１１７から参照パルスと共に又は参照パルス無しに垂直帰線消去信号を受信する第２の入力端子を持つ。参照パルスのない垂直帰線消去信号は、ＡＫＢオフモードにおいてのみ、線１７及び１１７上において供給されることに留意されたい。
【００２８】
ＡＫＢオンモードにおいて、第２の入力端子は参照パルスと共に消去信号を受信し、このことは出力バイアスが存在する間消去を防止する。
【００２９】
本発明の多くの変更及び代替の実施例は、上述の説明に鑑みて当業者には明らかであろう。従って、この説明は単に説明であると解釈されるべきであり、当業者に本発明の最良の方法を教示する目的のものである。構造の詳細は本発明から逸脱することなくかなり変更されても良く、添付される請求項の範囲内にある全ての変更の排他的な利用は保護される。
【００３０】
請求項において、括弧内に配置されたいずれの参照記号も、請求を限定するものとして解釈されるべきではない。「有する（comprise）」という語は、請求項に列挙されたもの以外の要素又はステップの存在を除外するものではない。要素に先行する「１つの（「a」又は「an」）」という語は、複数のかような要素の存在を除外するものではない。本発明は幾つかの別個の要素を有するハードウェアによって、及び適切にプログラムされたコンピュータによって実装されることができる。幾つかの手段を列挙する装置請求項において、これら手段の幾つかは同一のハードウェアによって実施されても良い。特定の手段が相互に異なる従属請求項に列挙されているという単なる事実は、これらの手段の組み合わせが有利に利用されることができないということを示すものではない。
【図面の簡単な説明】
【００３１】
【図１】従来の表示システムの模式的な図を示す。
【図２】本発明による表示システムの模式的な図を示す。
【図３】本発明による表示システムの模式的な図の代替実施例を示す。
【国際公開パンフレット】
2005504472.tif 000003
2005504472.tif 000004
2005504472.tif 000005
2005504472.tif 000006
2005504472.tif 000007
2005504472.tif 000008
2005504472.tif 000009
2005504472.tif 000010
2005504472.tif 000011
2005504472.tif 000012
2005504472.tif 000013
2005504472.tif 000014
2005504472.tif 000015
2005504472.tif 000016
2005504472.tif 000017
【国際公開パンフレット（コレクトバージョン）】
2005504472.tif 000018
【国際調査報告】
2005504472.tif 000019
2005504472.tif 000020
2005504472.tif 000021
2005504472.tif 000022